(57)【要約】【課題】一台でシングルモードとマルチモードの両方の光に対応する。【解決手段】光測定器１は、入射用光ファイバ２と、入射用光ファイバ２の出力光を処理する処理手段７と、処理手段７で処理された光を取り込む出射用光ファイバ４とを少なくとも備える。入射用光ファイバ２及び出射用光ファイバ４にデュアルコア光ファイバ１１を採用する。デュアルコア光ファイバ１１は、マルチモードの光を伝播するための第１コア１３ａと、第１コア１３ａよりもコア径が小さくシングルモードの光を伝播するための第２コア１３ｂとからなり、第２コア１３ｂの中心が第１コア１３ａの中心と同軸上に配置され、且つ第２コア１３ｂの屈折率が第１コア１３ａの屈折率より高い。【選択図】図１
2010197725.tif 000002
【特許請求の範囲】
【請求項１】
入射用光ファイバ（２）と、該入射用光ファイバの出力光を処理する処理手段（７）と、該処理手段で処理された光を取り込む出射用光ファイバ（４）とを少なくとも備えた光測定器（１）において、
前記入射用光ファイバ及び前記出射用光ファイバは、マルチモードの光を伝播するための第１コア（１３ａ）と、該第１コアよりもコア径が小さくシングルモードの光を伝播するための第２コア（１３ｂ）とからなり、
前記第２コアの中心が前記第１コアの中心と同軸上に配置され、且つ前記第２コアの屈折率が前記第１コアの屈折率より高いデュアルコア光ファイバ（１１）であることを特徴とする光測定器。
【請求項２】
前記入射用光ファイバ（２）の出力光を平行光に変換して前記処理手段（７）に入射するコリメータ（６）を備え、
前記入射用光ファイバ（２）及び前記出射用光ファイバ（４）は、前記コリメータのシングルモードの使用波長における焦点位置とマルチモードの使用波長における焦点位置との間に端面が位置するように配置したことを特徴とする請求項１記載の光測定器。
【請求項３】
前記処理手段（７）は、前記入射用光ファイバ（２）の出力光の光路を変える光路変更手段であることを特徴とする請求項１又は２記載の光測定器。
【請求項４】
前記処理手段（７）は、前記入射用光ファイバ（２）の出力光のパワーを減衰する光減衰手段であることを特徴とする請求項１又は２記載の光測定器。
【発明の詳細な説明】
【技術分野】
【０００１】
本発明は、シングルモードやマルチモードの被測定光の処理として、被測定光の光路を変える光スイッチや被測定光のパワーを減衰する光減衰器などのパッシブ型の光測定器に関する。
【背景技術】
【０００２】
最近、光通信用デバイスは多様化しており、シングルモード光ファイバを用いた光デバイスに加えて、ギガビット・イーサネット（登録商標）やファイバチャネルなどの短距離光通信に対応したマルチモード光ファイバを用いた光デバイスの需要が高まってきている。
【０００３】
ところで、この種の光通信では、長距離用にシングルモード光ファイバ（コア径１０μｍ）、短距離用にマルチモード光ファイバ（コア径５０μｍ）を使用している。
【０００４】
しかし、光通信では上記のような２種類の光ファイバを使用するため、光スイッチや光減衰器などのパッシブ型の光測定器としても、シングルモード光ファイバ用とマルチモード光ファイバ用の２種類を用意する必要があり、取替え作業、持ち運びの煩雑さなど、時間的、金銭的コストがかかるという問題があった。
【０００５】
ここで、上記パッシブ型の光測定器としては、例えば下記特許文献１に開示される光スイッチや下記特許文献２に開示される光減衰器などが知られている。
【０００６】
特許文献１に開示される光スイッチ５１は、図８（ａ），（ｂ）に示すように、光入出力部に光ファイバ５２（５２Ａ，５２Ｂ１，５２Ｂ２）を備え、シングルモード光ファイバ用の光入出力部の光ファイバ５２にはシングルモード光ファイバが用いられ、またマルチモード光ファイバ用の光入出力部の光ファイバ５２にはマルチモード光ファイバが用いられていた。この光スイッチ５１では、入力光ファイバ５２Ａから入力された光は、ミラーやプリズム等の光路変更手段５３で光路を変え、出力光ファイバ５２Ｂ１（５２Ｂ２）に出力される。
【０００７】
また、特許文献２に開示される光減衰器６１は、図９に示すように、光減衰素子６２としてファラデー素子を用い、光入出力部に光ファイバ６３を備えて構成される。
【０００８】
しかしながら、図８の光スイッチ５１や図９の光減衰器６１の光入出力部にシングルモード光ファイバを備えた構成では、シングルモード光ファイバに代えてマルチモード光ファイバを接続すると、両ファイバのコア径の違いから大きな光損失が発生するという問題があった。
【０００９】
また、光入出力部にマルチモード光ファイバを備えた光スイッチ５１や光減衰器６１の場合には、マルチモード光ファイバに代えてシングルモード光ファイバを接続すると、光入力部の接続損失に問題はないが、光出力部では両ファイバのコア径の違いから光損失が大きくなるという問題があった。
【００１０】
そこで、上記問題を解消するため、曲げや応力を抑えたマルチモード光ファイバにシングルモード光ファイバを接続してシングルモード光ファイバの出射光をマルチモード光ファイバに入射すれば、マルチモード光ファイバ中を光がシングルモードで伝播するという理由から、曲げや外部から加わる応力を極力抑えてマルチモード光ファイバを光測定器内に配置し、シングルモード光ファイバとマルチモード光ファイバの両方の光ファイバに対応した光測定器を使用することが考えられる。
【先行技術文献】
【特許文献】
【００１１】
【特許文献１】特開２００８−００８９５６号公報
【特許文献２】特開２００５−２０８４３５号公報
【発明の概要】
【発明が解決しようとする課題】
【００１２】
しかしながら、上述したシングルモード光ファイバとマルチモード光ファイバの両方の光ファイバに対応した光測定器では、開口数ＮＡの違いから（シングルモード光ファイバはＮＡ０．１、マルチモード光ファイバはＮＡ０．２）、再度マルチモード光ファイバからシングルモード光ファイバに入射する際に損失が増加するという問題があった。
【００１３】
そこで、本発明は上記問題点に鑑みてなされたものであって、デュアルモード光ファイバを入射用光ファイバ及び出射用光ファイバに採用することで、一台でシングルモードとマルチモードの両方の光に対応できる光測定器を提供することを目的としている。
【課題を解決するための手段】
【００１４】
上記目的を達成するため、本発明の請求項１に記載された光測定器は、入射用光ファイバ２と、該入射用光ファイバの出力光を処理する処理手段７と、該処理手段で処理された光を取り込む出射用光ファイバ４とを少なくとも備えた光測定器１において、
前記入射用光ファイバ及び前記出射用光ファイバは、マルチモードの光を伝播するための第１コア１３ａと、該第１コアよりもコア径が小さくシングルモードの光を伝播するための第２コア１３ｂとからなり、
前記第２コアの中心が前記第１コアの中心と同軸上に配置され、且つ前記第２コアの屈折率が前記第１コアの屈折率より高いデュアルコア光ファイバ１１であることを特徴とする。
【００１５】
請求項２に記載された光測定器は、請求項１の光測定器において、
前記入射用光ファイバ２の出力光を平行光に変換して前記処理手段７に入射するコリメータ６を備え、
前記入射用光ファイバ２及び前記出射用光ファイバ４は、前記コリメータのシングルモードの使用波長における焦点位置とマルチモードの使用波長における焦点位置との間に端面が位置するように配置したことを特徴とする。
【００１６】
請求項３に記載された光測定器は、請求項１又は請求項２の光測定器において、
前記処理手段７は、前記入射用光ファイバ２の出力光の光路を変える光路変更手段であることを特徴とする。
【００１７】
請求項４に記載された光測定器は、請求項１又は請求項２の光測定器において、
前記処理手段７は、前記入射用光ファイバ２の出力光のパワーを減衰する光減衰手段であることを特徴とする。
【発明の効果】
【００１８】
本発明によれば、デュアルコア光ファイバを入射用光ファイバ及び出射用光ファイバに採用することにより、一台でシングルモードとマルチモードの両方の光に対応でき、入力ポートや出力ポートにシングルモード光ファイバを接続してもシングルモード光ファイバ専用器と同レベルの性能を備えた測定器を実現することができる。
【図面の簡単な説明】
【００１９】
【図１】本発明に係る第１形態の光測定器の概略構成を示す図である。
【図２】本発明に係る第２形態の光測定器の概略構成を示す図である。
【図３】本発明に係る第３形態の光測定器の概略構成を示す図である。
【図４】本発明に係る第４形態の光測定器の概略構成を示す図である。
【図５】（ａ）本発明に係る光測定器の入射用光ファイバ及び出射用光ファイバとして使用するデュアルコア光ファイバの構造を示す概略断面図である。  （ｂ）同デュアルコア光ファイバの屈折率分布を示す説明図である。  （ｃ）同デュアルコア光ファイバの屈折率分布の他の例を示す説明図である。
【図６】本発明に係る光測定器におけるデュアルコア光ファイバとコリメータとの位置関係を示す図である。
【図７】（ａ）デュアルコア光ファイバの先端面を斜め研磨した概略構成図である。  （ｂ）デュアルコア光ファイバの先端面に反射防止膜を施した概略構成図である。  （ｃ）先端部分にレンズド光ファイバの構成を採用したデュアルコア光ファイバの概略構成図である。
【図８】（ａ），（ｂ）特許文献１に開示される従来の光スイッチの一例を示す図である。
【図９】特許文献２に開示される従来の光減衰器の一例を示す図である。
【発明を実施するための形態】
【００２０】
以下、本発明を実施するための形態について図面を参照しながら具体的に説明する。
本発明は、例えば光スイッチや光減衰器などのパッシブ型の光測定器に関するものであり、入射用光ファイバ及び出射用光ファイバとして、マルチモードの光を伝播するための第１コアと、第１コアよりもコア径が小さくシングルモードの光を伝播するための第２コアとからなり、第２コアの中心が第１コアの中心と同軸上に配置され、且つ第２コアの屈折率が第１コアの屈折率より高いデュアルコア光ファイバを用いたものである。
【００２１】
まず、本発明に係る各形態の光測定器の概略構成について図１〜図４を参照しながら説明する。
【００２２】
図１に示す第１形態の光測定器１（１Ａ）は、入射用光ファイバ２が接続される１個の入力ポート３と、それぞれに出射用光ファイバ４が接続される複数個（図１の例では４個）の出力ポート５とが矩形状の本体１ａに設けられ、入射用光ファイバ２からの被測定光を平行光に変換するコリメータ６と、平行光に変換された被測定光の光路を変更する光路変更手段としての可動ミラーからなる処理手段７と、被測定光を出射用光ファイバ４に集光するレンズからなる集光手段８とを本体１ａ内に備えた１×ｎの光スイッチで構成される。
【００２３】
さらに説明すると、光測定器１Ａは、入射用光ファイバ２の一端２ａが接続される入力ポート３が本体１ａの左側面に設けられる。入力ポート３には、被測定光を入射用光ファイバ２に入射するための接続用光ファイバ（シングルモード光ファイバ：ＳＭ光ファイバ又はマルチモード光ファイバ：ＧＩ光ファイバ）９が着脱可能にコネクタ接続される。本体１ａの右側面には、入力ポート３と対向して出射用光ファイバ４（４Ａ）の一端４ａが接続される出力ポート５（５Ａ）が設けられる。本体１ａの底面には、複数個（図１では３個）の出力ポート５（５Ｂ，５Ｃ，５Ｄ）が一定間隔をおいて並設され、それぞれの出力ポート５に出射用光ファイバ４（４Ｂ，４Ｃ，４Ｄ）の一端４ａが接続される。出力ポート５には、出射用光ファイバ４からの光を取り出すための接続用ファイバ（シングルモード光ファイバ：ＳＭ光ファイバ又はマルチモード光ファイバ：ＧＩ光ファイバ）１０が着脱可能にコネクタ接続される。本体１ａの底面の出力ポート５Ｂ，５Ｃ，５Ｄの中心軸と、本体１ａの側面の入力ポート３と出力ポート５Ａとを結ぶ線との交点位置Ｐ１，Ｐ２，Ｐ３には、それぞれ処理手段としての可動ミラー７（７Ａ，７Ｂ，７Ｃ）が交点位置Ｐ１，Ｐ２，Ｐ３に対して進退可能に設けられる。入力ポート３と入射側の可動ミラー７Ａとの間の光路上には、入射用光ファイバ２からの被測定光を平行光に変換するコリメータとしてのレンズ６が設けられる。出射側の可動ミラー７Ｃと本体１ａの側面の出力ポート５Ａとの間の光路上、可動ミラー７Ａ，７Ｂ，７Ｃと本体１ａの底面の出力ポート５Ｂ，５Ｃ，５Ｄとの間の光路上には、被測定光を出射用光ファイバ４に集光するための集光手段としてのレンズ８（８Ａ，８Ｂ，８Ｃ，８Ｄ）が設けられる。
【００２４】
この光測定器１Ａでは、接続用光ファイバ９を介して入射用光ファイバ２に被測定光が入射されると、被測定光がコリメータ（レンズ）６によって平行光に変換された後、処理手段（可動ミラー）７によって光路が変更され、集光手段（レンズ）８により集光されて出射用光ファイバ４に入射される。図１の例では、３個の可動ミラー７Ａ，７Ｂ，７Ｃのうち入力ポート３に一番近い可動ミラー７Ａの反射面が交点位置Ｐ１上に位置し、入射用光ファイバ２からの被測定光は、可動ミラー７Ａによって光路が変更され、集光手段８Ｂにより集光されて本体１ａ底面の一番左側の出射用光ファイバ４Ｂに入射される。
【００２５】
尚、処理手段（可動ミラー）７Ａ，７Ｂ，７Ｃが交点位置Ｐ１，Ｐ２，Ｐ３から外れて位置するときは、入射用光ファイバ２からレンズ６で平行光に変換された被測定光がそのままレンズ８Ａにより集光されて出射用ファイバ４Ａに入射される。
【００２６】
図２に示す第２形態の光測定器１（１Ｂ）は、それぞれに入射用光ファイバ２が接続されるｍ個の入力ポート３（３−１，３−２，３−３，・・・，３−ｍ）と、それぞれに出射用光ファイバ４が接続されるｎ個の出力ポート５（５−１，５−２，５−３，・・・，５−ｎ）とが矩形状の本体１ａに設けられ、入射用光ファイバ２からの被測定光を平行光に変換するコリメータ６（６−１，６−２，６−３，・・・，６−ｍ）と、平行光に変換された被測定光の光路を変更する光路変更手段としての可動ミラーからなる処理手段７と、被測定光を出射用光ファイバ４に集光するレンズからなる集光手段８とを本体１ａ内に備えたｍ×ｎのマトリックス状の光スイッチで構成される。
【００２７】
さらに説明すると、光測定器１Ｂは、ｍ個の入射用光ファイバ２の一端２ａが接続されるｍ個の入力ポート３が一定間隔をおいて本体１ａの左側面に並設される。ｍ個の入力ポート３には、被測定光を入射用光ファイバ２に入射するための接続用光ファイバ（シングルモード光ファイバ：ＳＭ光ファイバ又はマルチモード光ファイバ：ＧＩ光ファイバ）９が着脱可能にコネクタ接続される。本体１ａ底面には、ｎ個の出力ポート５が一定間隔をおいて並設され、それぞれの出力ポート５に出射用光ファイバ４の一端４ａが接続される。ｎ個の出力ポート５には、出射用光ファイバ４からの被測定光を取り出すための接続用ファイバ（シングルモード光ファイバ：ＳＭ光ファイバ又はマルチモード光ファイバ：ＧＩ光ファイバ）１０が着脱可能にコネクタ接続される。本体１ａの左側面の各入力ポート３の中心軸と、本体１ａの底面の各出力ポート５の中心軸とを結ぶ交点位置には、処理手段としての可動ミラー７が交点位置に対してそれぞれ進退可能に設けられる。各入力ポート３と可動ミラー７との間の光路上には、入射用光ファイバ２からの被測定光を平行光に変換するコリメータとしてのレンズ６が設けられる。各出力ポート５と可動ミラー７との間の光路上には、被測定光を出射用光ファイバ４に集光するための集光手段としてのレンズ８が設けられる。
【００２８】
この光測定器１Ｂでは、接続用光ファイバ９を介して入射用光ファイバ２に被測定光が入射されると、被測定光がコリメータ（レンズ）６によって平行光に変換された後、処理手段（可動ミラー）７によって光路が変更され、集光手段（レンズ）８により集光されて出射用光ファイバ４に入射される。図２の例では、入力ポート３と出力ポート５の３番目が選択され、本体１ａの左側面の３番目の入射用光ファイバ２からの被測定光は、３×３番目に位置する可動ミラー（図２において黒塗りを施した可動ミラー）７によって光路が変更され、集光手段（レンズ）８により集光されて本体１ａの底面の左から３番目の出射用光ファイバ４に入射される。
【００２９】
図３に示す第３形態の光測定器１（１Ｃ）は、ｍ個の入射用光ファイバ２が接続されるｍ個の入力ポート３と、出射用光ファイバ４が接続される１個の出力ポート５とが矩形状の本体１ａに設けられ、出射用光ファイバ４を回転させて何れかの入射用光ファイバ２に光路を変更する光路変更手段としての回転ステージからなる処理手段７とを本体１ａ内に備え、入射用光ファイバ２と出射用光ファイバ４として、上述した光測定器１Ａのコリメータ６及び集光手段８の機能を兼ね備えたレンズドファイバ搭載のデュアルコア光ファイバを用いたｍ×１の光スイッチである。
【００３０】
さらに説明すると、光測定器１Ｃは、ｍ個の入射用光ファイバ２の一端２ａが接続されるｍ個の入力ポート３（３−１，３−２，３−３，・・・，３−ｍ）が同一円周上に一定間隔をおいて本体１ａに設けられる。ｍ個の入力ポート３には、被測定光を入射用光ファイバ２に入射するための接続用光ファイバ（シングルモード光ファイバ：ＳＭ光ファイバ又はマルチモード光ファイバ：ＧＩ光ファイバ）９が着脱可能にコネクタ接続される。本体１ａには、出射用光ファイバ４の一端４ａが接続される１個の出力ポート５が設けられる。出力ポート５には、出射用光ファイバ４からの被測定光を取り出すための接続用ファイバ（シングルモード光ファイバ：ＳＭ光ファイバ又はマルチモード光ファイバ：ＧＩ光ファイバ）１０が着脱可能にコネクタ接続される。この１個の出力ポート５は、処理手段７としての回転ステージ上に固設されており、回転ステージの回転により、何れか一つの入射用光ファイバ２に光軸を一致させている。
【００３１】
この光測定器１Ｃでは、接続用光ファイバ９を介して入射用光ファイバ２に被測定光が入射されると、この被測定光は、入射用光ファイバ２と対向する出射用光ファイバ４に集光して入射される。図３の例では、左から３番目の入力ポート３−３と出力ポート５が選択されて入射用光ファイバ２と出射用光ファイバ４とが対向して光軸が一致しており、この入力ポート３ー３の入射用光ファイバ２からの被測定光が出射用光ファイバ４に集光して入射される。
【００３２】
図４に示す第４形態の光測定器１（１Ｄ）は、入射用光ファイバ２が接続される１個の入力ポート３と、出射用光ファイバ４が接続される１個の出力ポート５とが矩形状の本体１ａの側面に対向して設けられ、入射用光ファイバ２からの被測定光を平行光に変換するコリメータ６と、平行光に変換された被測定光のパワーを所定量減衰する光減衰手段としての光減衰板からなる処理手段７と、減衰された被測定光を出射用光ファイバ４に集光するレンズからなる集光手段８とを本体１ａ内に備えた光減衰器で構成される。また、入力ポート３には、被測定光を入射用光ファイバ２に入射するための接続用光ファイバ（シングルモード光ファイバ：ＳＭ光ファイバ又はマルチモード光ファイバ：ＧＩ光ファイバ）９が着脱可能にコネクタ接続される。また、出力ポート５には、出射用光ファイバ４からの被測定光を取り出すための接続用ファイバ（シングルモード光ファイバ：ＳＭ光ファイバ又はマルチモード光ファイバ：ＧＩ光ファイバ）１０が着脱可能にコネクタ接続される。
【００３３】
この光測定器１Ｄでは、接続用光ファイバ９を介して入射用光ファイバ２に被測定光が入射されると、この被測定光は、コリメータ（レンズ）６によって平行光に変換された後、処理手段（モータにより回転駆動される光減衰板）７によってパワーが所定量減衰され、集光手段（レンズ）８により集光されて出射用光ファイバ４に入射される。
【００３４】
尚、上述した各実施の形態の光測定器１Ａ〜１Ｄにおいて、入射用光ファイバ２及び出射用光ファイバの他端は、光ファイバの曲げや応力が抑えられた状態で本体１ａに固定される。
【００３５】
次に、上述した各形態の光測定器１Ａ，１Ｂ，１Ｃ，１Ｄにおける入射用光ファイバ２と出射用光ファイバ４に採用されるデュアルコア光ファイバ１１について図５〜図７を参照しながら説明する。
【００３６】
本発明では、接続用光ファイバ９から入射される被測定光として、シングルモードとマルチモードの両方の光（被測定光）に対応するため、図５〜図７に示す構成のデュアルコア光ファイバ１１を入射用光ファイバ２及び出射用光ファイバ４に採用している。
【００３７】
デュアルコア光ファイバ１１は、図５（ａ）に示すように、クラッド１２の内部に屈折率の異なる２種類のコア１３（第１コア１３ａ、第２コア１３ｂ）を有している。デュアルコア光ファイバ１１の構造例としては、ファイバの中心に第２コア１３ｂを備え、その外周を第１コア１３ａで被覆し、さらにその外周をクラッド１２で被覆して成る。すなわち、デュアルコア光ファイバ１１の内部構造は、第２コア１３ｂのコア径が第１コア１３ａのコア径より小さく、第２コア１３ｂの中心と第１コア１３ａの中心とが同軸上に配置され、第１コア１３ａの外周にクラッド１２が被覆されている。
【００３８】
また、デュアルコア光ファイバ１１におけるコアとクラッドの相対屈折率をプロファイルすると、図５（ｂ）に示すように、第２コア１３ｂの屈折率ｎ１＞第１コア１３ａの屈折率ｎ２＞クラッド１２の屈折率ｎ３の関係を示す。従って、マルチモードの被測定光（例えば０．８５μｍ）は第１コア１３ａ及び第２コア１３ｂを伝播し、シングルモードの被測定光（例えば１．５５μｍ）は第２コア１３ｂのみを伝播する。
【００３９】
また、図５（ｃ）に示すように、屈折率分布の別の形態として、第１コア１３ａとクラッド１２の屈折率を同じｎ２にして第１コア１３ａとクラッド１２の間に屈折率がｎ２より小さい屈折率ｎ３の中間層を介在させた分布構造のデュアルコア光ファイバが考えられる。
【００４０】
さらに、シングルモードとマルチモードの両方のモードの被測定光に対応するため、入射用光ファイバ２は、図６に示すように、シングルモードの使用波長（例えば１．５５μｍ）とマルチモードの使用波長（０．８５μｍ）の略中間波長（例えば１．１μｍ）でのコリメータ６の焦点距離に端面が位置するように配置されている。これにより、入射用光ファイバ２からのシングルモードやマルチモードの被測定光を、損失が少ない状態でコリメータ６に導くことができる。
【００４１】
尚、特に図示はしないが、出射用光ファイバ４に関しても、シングルモードの使用波長とマルチモードの使用波長の略中間波長での集光手段としてのレンズ８の焦点距離に端面が位置するように出射用光ファイバ４が配置されている。
【００４２】
ところで、使用するレーザが狭スペクトル線幅でコヒーレンスが高い場合は、様々な位置で発生する反射光によって光干渉が発生し、この光干渉によってパワー変動を生じてしまうため、反射減衰量を良くすることが重要である。
【００４３】
そこで、上記対策として、図７（ａ）に示すように、デュアルコア光ファイバ１１を採用した入射用光ファイバ２及び出射用光ファイバ４の先端面を斜め研磨（例えば平面８°〜１２°）する構成を採用してもよい。これにより、平面研磨の反射減衰量が１４ｄＢ程度であるのに対し、斜め研磨では反射減衰量が約４０ｄＢ以上となり、反射量を抑制することができる。
【００４４】
また、図７（ｂ）に示すように、デュアルコア光ファイバ１１を採用した入射用光ファイバ２及び出射用光ファイバ４の先端面に反射防止膜（ＡＲコート）１４を施せば、開口端での反射光を抑えることができる。
【００４５】
尚、デュアルコア光ファイバ１１を採用した入射用光ファイバ２及び出射用光ファイバ４は、先端面を斜め研磨した構成（図７（ａ））、先端面に反射防止膜１４を施した構成（図７（ｂ））、これらの構成を併用するなど、その使用環境や装置構成により適宜選択することができる。
【００４６】
さらに、図７（ｃ）に示すように、図３に示す第３形態の光測定器１Ｃの入射用光ファイバ２及び出射用光ファイバ４としては、先端面を曲率開口したレンズド光ファイバの構成が採用される。これにより、コリメータ６と集光手段８が不要になり、構成部品を削減して構成の簡略化を図ることができる。
【００４７】
このように、本発明に係る光測定器１では、入射用光ファイバ２及び出射用光ファイバ４として、マルチモードの光を伝播するための第１コア１３ａと、第１コア１３ａよりもコア径が小さくシングルモードの光を伝播するための第２コア１３ｂとからなり、第２コア１３ｂの中心が第１コア１３ａの中心と同軸上に配置され、且つ第２コア１３ｂの屈折率が第１コア１３ａの屈折率より高いデュアルコア光ファイバ１１を用いている。
【００４８】
そして、シングルモードの被測定光の場合には、入射用光ファイバ２及び出射用光ファイバ４として用いられるデュアルコア光ファイバ１１の第２コア１３ｂのみを光が伝播し、マルチモードの被測定光の場合には、上記デュアルコア光ファイバ１１の第１コア１３ａ及び第２コア１３ｂを光が伝播する。これにより、一台でシングルモードとマルチモードの両方の被測定光の測定に対応でき、入射される被測定光がシングルモードの光であってもマルチモードの光であっても光損失が少ない測定器を提供することができる。しかも、入力ポート３や出力ポート５に接続用光ファイバ９，１０としてシングルモード光ファイバを接続してもシングルモード光ファイバ専用器と同レベルの性能を備えた測定器を実現することができる。
【００４９】
ところで、上述した実施の形態では、入射用光ファイバ２からの被測定光の処理として、被測定光の光路を変更する処理、被測定光のパワーを減衰する処理を例にとって説明したが、これら以外の処理を施して出射用光ファイバ４に入射する場合にも本例の構成を採用することができる。
【符号の説明】
【００５０】
１（１Ａ，１Ｂ，１Ｃ，１Ｄ）  光測定器
１ａ  本体
２  入射用光ファイバ
３  入力ポート
４  出射用光ファイバ
５  出力ポート
６  コリメータ（レンズ）
７  処理手段（可動ミラー、回転ステージ、光減衰板、モータ）
８  集光手段
９，１０  接続用光ファイバ
１１  デュアルコア光ファイバ
１２  クラッド
１３  コア
１３ａ  第１コア
１３ｂ  第２コア
１４  反射防止膜
【図１】
2010197725.tif 000003
【図２】
2010197725.tif 000004
【図３】
2010197725.tif 000005
【図４】
2010197725.tif 000006
【図５】
2010197725.tif 000007
【図６】
2010197725.tif 000008
【図７】
2010197725.tif 000009
【図８】
2010197725.tif 000010
【図９】
2010197725.tif 000011